(57)【要約】      （修正有）【課題】繰り返し使用しても、露光部電位のＪｏｂ内変動を抑制することが可能な感光体を提供する。【解決手段】感光体は、導電性支持体上に、電荷発生層及び電荷輸送層が順次積層されている感光層が形成されており、電荷輸送層は、特定のヒドラゾン系化合物合物を含む電荷輸送物質と、一般式2011221047.tif 000029で表される化合物と、結着樹脂を含む。【選択図】なし【特許請求の範囲】
【請求項１】
導電性支持体上に感光層又は電荷輸送層が形成されており、
該感光層又は電荷輸送層は、一般式
【化１】
2011221047.tif 000027
（式中、Ｒ１、Ｒ２、Ｒ３、Ｒ４及びＲ６は、それぞれ独立に、水素原子、ハロゲン基、炭素数が１以上２０以下であるアルキル基、炭素数が１以上２０以下であるアルコキシ基、一般式
−ＮＲ７Ｒ８
（式中、Ｒ７及びＲ８は、それぞれ独立に、置換又は無置換の炭素数が１以上２０以下であるアルキル基である。）
で表される基又はベンジルアミノ基であり、Ｒ５は、炭素数が１以上２０以下であるアルキル基又はベンジル基である。）
で表される化合物を含む電荷輸送物質と、一般式
【化２】
2011221047.tif 000028
（式中、Ｒ９及びＲ１０は、それぞれ独立に、一般式
−ＣＨ２Ｒ１１
（式中、Ｒ１１は、置換若しくは無置換のアリール基、置換若しくは無置換のヘテロアリール基、置換若しくは無置換のシクロアルキル基又は置換若しくは無置換のヘテロシクロアルキル基である。）
で表される基又は一般式
−ＣＨ２ＣＨ２Ｒ１２
（式中、Ｒ１２は、置換若しくは無置換のアリール基、置換若しくは無置換のヘテロアリール基、置換若しくは無置換のシクロアルキル基又は置換若しくは無置換のヘテロシクロアルキル基である。）
で表される基である。）
で表される化合物と、結着樹脂を含むことを特徴とする感光体。
【請求項２】
前記結着樹脂に対する前記一般式（１）で表される化合物の質量比が０．３０以上２．００以下であることを特徴とする請求項１に記載の感光体。
【請求項３】
前記電荷輸送物質に対する前記一般式（１）で表される化合物の質量比が０．５０以上１．００以下であることを特徴とする請求項１又は２に記載の感光体。
【請求項４】
前記電荷輸送物質に対する前記一般式（２）で表される化合物の質量比が０．０１以上０．３０以下であることを特徴とする請求項１乃至３のいずれか一項に記載の感光体。
【請求項５】
前記感光層又は電荷輸送層上に、前記一般式（２）で表される化合物を含む保護層がさらに形成されていることを特徴とする請求項１乃至４のいずれか一項に記載の感光体。
【請求項６】
請求項１乃至５のいずれか一項に記載の感光体と、
該感光体を帯電させる帯電手段と、
該帯電した感光体に露光して静電潜像を形成する露光手段と、
該感光体に形成された静電潜像を現像してトナー画像を形成する現像手段と、
該感光体に形成されたトナー画像を記録材に転写する、又は、該感光体に形成されたトナー画像を中間転写体に転写した後、該中間転写体に転写されたトナー画像を記録材に転写する転写手段を有することを特徴とする画像形成装置。
【請求項７】
前記露光手段は、半導体レーザ又は発光ダイオードを有することを特徴とする請求項６に記載の画像形成装置。
【請求項８】
前記感光体、前記帯電手段、前記現像手段及び前記転写手段を複数有することを特徴とする請求項６又は７に記載の画像形成装置。
【請求項９】
前記転写手段は、前記複数の感光体に形成されたトナー画像を順次前記中間転写体に一次転写して重ね合わせた後、該中間転写体に一次転写されたトナー画像を記録材に二次転写することを特徴とする請求項８に記載の画像形成装置。
【請求項１０】
請求項１乃至５のいずれか一項に記載の感光体を帯電させる帯電工程と、
該帯電した感光体に露光して静電潜像を形成する露光工程と、
該感光体に形成された静電潜像を現像してトナー画像を形成する現像工程と、
該感光体に形成されたトナー画像を記録材に転写する、又は、該感光体に形成されたトナー画像を中間転写体に転写した後、該中間転写体に転写されたトナー画像を記録材に転写する転写工程を有することを特徴とする画像形成方法。
【請求項１１】
半導体レーザ又は発光ダイオードを用いて、前記帯電した感光体に露光することを特徴とする請求項１０に記載の画像形成方法。
【請求項１２】
請求項１乃至５のいずれか一項に記載の感光体と、
該感光体を帯電させる帯電手段、該帯電した感光体に露光して静電潜像を形成する露光手段と、該感光体に形成された静電潜像を現像してトナー画像を形成する現像手段と、該感光体に形成されたトナー画像を記録材に転写する、又は、該感光体に形成されたトナー画像を中間転写体に転写した後、該中間転写体に転写されたトナー画像を記録材に転写する転写手段及び該トナー画像が転写された感光体をクリーニングするクリーニング手段の少なくとも一つを有することを特徴とするプロセスカートリッジ。
【発明の詳細な説明】
【技術分野】
【０００１】
本発明は、感光体、画像形成装置、画像形成方法及びプロセスカートリッジに関する。
【背景技術】
【０００２】
近年、可とう性、熱安定性、成膜性等の利点により、電子写真用の有機感光体が実用化されてきた。
【０００３】
しかしながら、有機感光体を繰り返し使用すると、帯電電位の低下、残留電位の上昇、感度の変化等により、画像品質が劣化するという問題がある。そこで、感光層に酸化防止剤を添加して、画像品質の劣化を抑制する方法が知られている。
【０００４】
特許文献１に、導電性材料からなる導電性支持体上に、電荷発生物質を含有する電荷発生層と電荷輸送物質を含有する電荷輸送層とが積層された積層型感光層が形成されてなり、電荷輸送層が、主成分としての電荷輸送物質及びその結合剤としてのバインダー樹脂に加えて、酸化防止剤として、構造式（Ｉ）及び／又は構造式（ＩＩ）で示されるジアミン化合物をさらに含有する積層型電子写真感光体が開示されている。このとき、ジアミン化合物の電荷輸送物質に対する含有量が０．５〜１０重量％であり、バインダー樹脂の電荷輸送物質１００重量部に対する含有量が１２０〜３００重量部である。
【０００５】
しかしながら、繰り返し使用すると、印刷を開始してＪｏｂが終了した後、印刷を再開した時の露光部電位の変動（以下、露光部電位のＪｏｂ内変動という）が大きくなるという問題がある。
【発明の概要】
【発明が解決しようとする課題】
【０００６】
本発明は、上記従来技術が有する問題に鑑み、繰り返し使用しても、露光部電位のＪｏｂ内変動を抑制することが可能な感光体、該感光体を有する画像形成装置、該感光体を用いる画像形成方法及び該感光体を有するプロセスカートリッジを提供することを目的とする。
【課題を解決するための手段】
【０００７】
請求項１に記載の発明は、感光体において、導電性支持体上に感光層又は電荷輸送層が形成されており、
該感光層又は電荷輸送層は、一般式
【０００８】
【化１】
2011221047.tif 000002
（式中、Ｒ１、Ｒ２、Ｒ３、Ｒ４及びＲ６は、それぞれ独立に、水素原子、ハロゲン基、炭素数が１以上２０以下であるアルキル基、炭素数が１以上２０以下であるアルコキシ基、一般式
−ＮＲ７Ｒ８
（式中、Ｒ７及びＲ８は、それぞれ独立に、置換又は無置換の炭素数が１以上２０以下であるアルキル基である。）
で表される基又はベンジルアミノ基であり、Ｒ５は、炭素数が１以上２０以下であるアルキル基又はベンジル基である。）
で表される化合物を含む電荷輸送物質と、一般式
【０００９】
【化２】
2011221047.tif 000003
（式中、Ｒ９及びＲ１０は、それぞれ独立に、一般式
−ＣＨ２Ｒ１１
（式中、Ｒ１１は、置換若しくは無置換のアリール基、置換若しくは無置換のヘテロアリール基、置換若しくは無置換のシクロアルキル基又は置換若しくは無置換のヘテロシクロアルキル基である。）
で表される基又は一般式
−ＣＨ２ＣＨ２Ｒ１２
（式中、Ｒ１２は、置換若しくは無置換のアリール基、置換若しくは無置換のヘテロアリール基、置換若しくは無置換のシクロアルキル基又は置換若しくは無置換のヘテロシクロアルキル基である。）
で表される基である。）
で表される化合物と、結着樹脂を含むことを特徴とする。
【００１０】
請求項２に記載の発明は、請求項１に記載の感光体において、前記結着樹脂に対する前記一般式（１）で表される化合物の質量比が０．３０以上２．００以下であることを特徴とする。
【００１１】
請求項３に記載の発明は、請求項１又は２に記載の感光体において、前記電荷輸送物質に対する前記一般式（１）で表される化合物の質量比が０．５０以上１．００以下であることを特徴とする。
【００１２】
請求項４に記載の発明は、請求項１乃至３のいずれか一項に記載の感光体において、前記電荷輸送物質に対する前記一般式（２）で表される化合物の質量比が０．０１以上０．３０以下であることを特徴とする。
【００１３】
請求項５に記載の発明は、請求項１乃至４のいずれか一項に記載の感光体において、前記感光層又は電荷輸送層上に、前記一般式（２）で表される化合物を含む保護層がさらに形成されていることを特徴とする。
【００１４】
請求項６に記載の発明は、画像形成装置において、請求項１乃至５のいずれか一項に記載の感光体と、該感光体を帯電させる帯電手段と、該帯電した感光体に露光して静電潜像を形成する露光手段と、該感光体に形成された静電潜像を現像してトナー画像を形成する現像手段と、該感光体に形成されたトナー画像を記録材に転写する、又は、該感光体に形成されたトナー画像を中間転写体に転写した後、該中間転写体に転写されたトナー画像を記録材に転写する転写手段を有することを特徴とする。
【００１５】
請求項７に記載の発明は、請求項６に記載の画像形成装置において、前記露光手段は、半導体レーザ又は発光ダイオードを有することを特徴とする。
【００１６】
請求項８に記載の発明は、請求項６又は７に記載の画像形成装置において、前記感光体、前記帯電手段、前記現像手段及び前記転写手段を複数有することを特徴とする。
【００１７】
請求項９に記載の発明は、請求項８に記載の画像形成装置において、前記転写手段は、前記複数の感光体に形成されたトナー画像を順次前記中間転写体に一次転写して重ね合わせた後、該中間転写体に一次転写されたトナー画像を記録材に二次転写することを特徴とする。
【００１８】
請求項１０に記載の発明は、画像形成方法において、請求項１乃至５のいずれか一項に記載の感光体を帯電させる帯電工程と、該帯電した感光体に露光して静電潜像を形成する露光工程と、該感光体に形成された静電潜像を現像してトナー画像を形成する現像工程と、該感光体に形成されたトナー画像を記録材に転写する、又は、該感光体に形成されたトナー画像を中間転写体に転写した後、該中間転写体に転写されたトナー画像を記録材に転写する転写工程を有することを特徴とする。
【００１９】
請求項１１に記載の発明は、請求項１０に記載の画像形成方法において、半導体レーザ又は発光ダイオードを用いて、前記帯電した感光体に露光することを特徴とする。
【００２０】
請求項１２に記載の発明は、プロセスカートリッジにおいて、請求項１乃至５のいずれか一項に記載の感光体と、該感光体を帯電させる帯電手段、該帯電した感光体に露光して静電潜像を形成する露光手段と、該感光体に形成された静電潜像を現像してトナー画像を形成する現像手段と、該感光体に形成されたトナー画像を記録材に転写する、又は、該感光体に形成されたトナー画像を中間転写体に転写した後、該中間転写体に転写されたトナー画像を記録材に転写する転写手段及び該トナー画像が転写された感光体をクリーニングするクリーニング手段の少なくとも一つを有することを特徴とする。
【発明の効果】
【００２１】
本発明によれば、繰り返し使用しても、露光部電位のＪｏｂ内変動を抑制することが可能な感光体、該感光体を有する画像形成装置、該感光体を用いる画像形成方法及び該感光体を有するプロセスカートリッジを提供することができる。
【図面の簡単な説明】
【００２２】
【図１】本発明の感光体の構成の一例を示す断面図である。
【図２】図１の感光体の構成の変形例を示す断面図である。
【図３】本発明の画像形成装置の一例を示す概略図である。
【図４】図３の画像形成装置の変形例を示す概略図である。
【図５】図３の画像形成装置の変形例を示す概略図である。
【図６】図３の画像形成装置の変形例を示す概略図である。
【図７】本発明のプロセスカートリッジの一例を示す概略図である。
【図８】実施例１１で用いたチタニルフタロシアニンの粉末Ｘ線回折スペクトルである。
【発明を実施するための形態】
【００２３】
次に、本発明を実施するための形態を図面と共に説明する。
【００２４】
図１に、本発明の感光体の構成の一例を示す。感光体１０は、導電性支持体１１上に、電荷発生層１２ａ及び電荷輸送層１２ｂが順次積層されている感光層１２が形成されている。
【００２５】
導電性支持体１１としては、体積抵抗率が１×１０１０Ω・ｃｍ以下の導電性を示すものであれば、特に限定されないが、アルミニウム、ニッケル、クロム、ニクロム、銅、金、銀、白金などの金属、酸化スズ、酸化インジウム等の金属酸化物を、蒸着又はスパッタリングにより、フィルム状又は円筒状のプラスチック、紙に被覆したもの；アルミニウム、アルミニウム合金、ニッケル、ステンレス等の板を押し出し、引き抜き等の工法で素管化した後、切削、超仕上げ、研摩等の表面処理を施した管；エンドレスニッケルベルト、エンドレスステンレスベルト（例えば、特開昭５２−３６０１６号公報参照）が挙げられる。
【００２６】
また、結着樹脂中に導電性粉体が分散されている導電層が形成されている支持体も、導電性支持体１１として用いることができる。
【００２７】
結着樹脂としては、特に限定されないが、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート、フェノキシ樹脂、ポリカーボネート、酢酸セルロース、エチルセルロース、ポリビニルブチラール、ポリビニルホルマール、ポリビニルトルエン、ポリ（Ｎ−ビニルカルバゾール）、アクリル樹脂、シリコーン樹脂、エポキシ樹脂、メラミン樹脂、ウレタン樹脂、フェノール樹脂、アルキッド樹脂等が挙げられる。
【００２８】
導電性粉体を構成する材料としては、特に限定されないが、カーボンブラック、アセチレンブラック、アルミニウム、ニッケル、鉄、ニクロム、銅、亜鉛、銀等の金属；導電性酸化スズ、ＩＴＯ等の金属酸化物等が挙げられる。
【００２９】
導電層は、導電性粉体と結着樹脂を溶媒中に分散させた塗布液を塗布することにより形成することができる。
【００３０】
溶媒としては、特に限定されないが、テトラヒドロフラン、ジクロロメタン、メチルエチルケトン、トルエン等が挙げられる。
【００３１】
さらに、樹脂中に導電性粉体が分散されている熱収縮チューブにより表面が被覆されている円筒状の支持体も、導電性支持体１１として用いることができる。
【００３２】
樹脂としては、特に限定されないが、ポリ塩化ビニル、ポリプロピレン、ポリエステル、ポリスチレン、ポリ塩化ビニリデン、ポリエチレン、塩化ゴム、テフロン（登録商標）等が挙げられる。
【００３３】
導電性粉体を構成する材料としては、特に限定されないが、カーボンブラック、アセチレンブラック、アルミニウム、ニッケル、鉄、ニクロム、銅、亜鉛、銀等の金属；導電性酸化スズ、ＩＴＯ等の金属酸化物等が挙げられる。
【００３４】
電荷発生層１２ａは、電荷発生物質を含み、必要に応じて、結着樹脂をさらに含む。
【００３５】
電荷発生物質としては、特に限定されないが、モノアゾ顔料、ジスアゾ顔料、トリスアゾ顔料、ペリレン系顔料、ペリノン系顔料、キナクリドン系顔料、キノン系縮合多環化合物、スクアリック酸系染料、フタロシアニン系顔料、ナフタロシアニン系顔料、アズレニウム塩系染料等が挙げられ、二種以上併用してもよい。
【００３６】
結着樹脂としては、特に限定されないが、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリスルホン、ポリ（Ｎ−ビニルカルバゾール）、ポリアクリルアミド、ポリビニルベンザール、ポリエステル、フェノキシ樹脂、塩化ビニル−酢酸ビニル共重合体、ポリ酢酸ビニル、ポリフェニレンオキシド、ポリビニルピリジン、セルロース系樹脂、カゼイン、ポリビニルアルコール、ポリビニルピロリドン等が挙げられる。
【００３７】
電荷発生層１２ａ中の電荷発生物質に対する結着樹脂の質量比は、通常、０〜５であり、０．１〜３が好ましい。
【００３８】
電荷発生層１２ａの厚さは、通常、０．０１〜５μｍ程度であり、０．１〜２μｍが好ましい。
【００３９】
電荷発生層１２ａは、電荷発生物質を、必要に応じて、結着樹脂と共に、ボールミル、アトライター、サンドミル、超音波等を用いて、溶媒中に分散させた塗布液を導電性支持体１１上に塗布した後、乾燥することにより、形成することができる。
【００４０】
溶媒としては、特に限定されないが、イソプロパノール、アセトン、メチルエチルケトン、シクロヘキサノン、テトラヒドロフラン、ジオキサン、エチルセロソルブ、酢酸エチル、酢酸メチル、ジクロロメタン、ジクロロエタン、モノクロロベンゼン、シクロヘキサン、トルエン、キシレン、リグロイン等が挙げられ、二種以上併用してもよい。中でも、ケトン系溶媒、エステル系溶媒、エーテル系溶媒が好ましい。
【００４１】
塗布液を塗布する方法としては、特に限定されないが、浸漬塗工法、スプレーコート法、ビートコート法、ノズルコート法、スピナーコート法、リングコート法等が挙げられる。
【００４２】
電荷発生層１２ａは、増感剤、分散剤、界面活性剤、シリコーンオイル等をさらに含んでいてもよい。
【００４３】
電荷輸送層１２ｂは、一般式（１）で表される化合物を含む電荷輸送物質と、一般式（２）で表される化合物と、結着樹脂を含む。このため、繰り返し使用しても、露光部の電位のＪｏｂ内変動を抑制することができる。
【００４４】
この原因は、明らかではないが、一般式（２）で表される化合物が有するアミノ基が、コロナ帯電器等から発生するオゾン、ＮＯｘ等の酸化性ガスによる電荷輸送物質の変質を抑制するためであると考えられる。また、一般式（２）で表される化合物は、電荷をトラップしにくいためであると考えられる。さらに、一般式（２）で表される化合物は、一般式（１）で表される化合物に対して、特異的に電荷輸送機能への影響が少ないと推測される。
【００４５】
一般式（１）で表される化合物としては、特に限定されないが、化合物（１−１）〜（１−６２）が挙げられる。
【００４６】
【表１】
2011221047.tif 000004
【００４７】
【表２】
2011221047.tif 000005
【００４８】
【表３】
2011221047.tif 000006
【００４９】
【表４】
2011221047.tif 000007
【００５０】
【表５】
2011221047.tif 000008
【００５１】
【表６】
2011221047.tif 000009
【００５２】
【表７】
2011221047.tif 000010
【００５３】
【表８】
2011221047.tif 000011
【００５４】
【表９】
2011221047.tif 000012
電荷輸送層１２ｂにおいて、結着樹脂に対する一般式（１）で表される化合物の質量比は、通常、０．３０〜２．００である。この質量比が０．３０未満であると、残留電位が上昇することがあり、２．００を超えると、耐摩耗性が低下することがある。
【００５５】
電荷輸送層１２ｂにおいて、電荷輸送物質に対する一般式（１）で表される化合物の質量比は、通常、０．５０〜１．００であり、０．７０〜１．００が好ましい。この質量比が０．５０未満であると、繰り返し使用すると、露光部の電位のＪｏｂ内変動が大きくなることがある。
【００５６】
一般式（１）で表される化合物と併用することが可能な電荷輸送物質としては、クロロアニル、ブロモアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−４Ｈ−インデノ［１，２−ｂ］チオフェン−４−オン、１，３，７−トリニトロジベンゾチオフェン−５，５−ジオキサイド、ベンゾキノン誘導体等の電子輸送物質；ポリ（Ｎ−ビニルカルバゾール）及びその誘導体、ポリグルタミン酸γ−カルバゾリルエチル及びその誘導体、ピレン−ホルムアルデヒド縮合物及びその誘導体、ポリビニルピレン、ポリビニルフェナントレン、ポリシラン、オキサゾール誘導体、オキサジアゾール誘導体、イミダゾール誘導体、モノアリールアミン誘導体、ジアリールアミン誘導体、トリアリールアミン誘導体、スチルベン誘導体、α−フェニルスチルベン誘導体、ベンジジン誘導体、ジアリールメタン誘導体、トリアリールメタン誘導体、９−スチリルアントラセン誘導体、ピラゾリン誘導体、ジビニルベンゼン誘導体、ヒドラゾン誘導体、インデン誘導体、ブタジエン誘導体、ピレン誘導体等、ビススチルベン誘導体、エナミン誘導体等の正孔輸送物質が挙げられ、二種以上併用してもよい。
【００５７】
一般式（２）で表される化合物としては、特に限定されないが、化合物（２−１）〜（２−５）が挙げられる。
【００５８】
【化３】
2011221047.tif 000013
【００５９】
【化４】
2011221047.tif 000014
【００６０】
【化５】
2011221047.tif 000015
【００６１】
【化６】
2011221047.tif 000016
【００６２】
【化７】
2011221047.tif 000017
電荷輸送層１２ｂにおいて、電荷輸送物質に対する一般式（２）で表される化合物の質量比は、通常、０．０１〜０．３０である。この質量比が０．０１未満であると、繰り返し使用すると、露光部の電位のＪｏｂ内変動が大きくなることがあり、０．３０を超えると、繰り返し使用すると、残留電位が上昇することがある。
【００６３】
結着樹脂としては、特に限定されないが、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート、フェノキシ樹脂、ポリカーボネート、酢酸セルロース、エチルセルロース、ポリビニルブチラール、ポリビニルホルマール、ポリビニルトルエン、ポリ（Ｎ−ビニルカルバゾール）、アクリル樹脂、シリコーン樹脂、エポキシ樹脂、メラミン樹脂、ウレタン樹脂、フェノール樹脂、アルキッド樹脂等が挙げられる。
【００６４】
電荷輸送層１２ｂの厚さは、通常、５〜５０μｍであり、解像度・応答性の点から、５〜２５μｍが好ましい。
【００６５】
電荷輸送層１２ｂは、一般式（１）で表される化合物を含む電荷輸送物質と、一般式（２）で表される化合物と、結着樹脂を、ボールミル、アトライター、サンドミル、超音波等を用いて、溶媒中に分散させた塗布液を電荷発生層１２ａ上に塗布した後、乾燥することにより、形成することができる。
【００６６】
溶媒としては、特に限定されないが、テトラヒドロフラン、ジオキサン、トルエン、ジクロロメタン、モノクロロベンゼン、ジクロロエタン、シクロヘキサノン、メチルエチルケトン、アセトン等が挙げられ、二種以上併用してもよい。
【００６７】
塗布液を塗布する方法としては、特に限定されないが、浸漬塗工法、スプレーコート法、ビートコート法、ノズルコート法、スピナーコート法、リングコート法等が挙げられる。
【００６８】
感光体１０は、電荷輸送層１２ｂ上に、結着樹脂を含む保護層が形成されていてもよい。
【００６９】
結着樹脂としては、特に限定されないが、ＡＢＳ樹脂、ＡＣＳ樹脂、オレフィン−ビニルモノマー共重合体、塩素化ポリエーテル、アリール樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルベンテン、ポリプロピレン、ポリフェニレンオキシド、ポリスルホン、ポリスチレン、ポリアリレート、ＡＳ樹脂、ブタジエン−スチレン共重合体、ポリウレタン、ポリ塩化ビニル、ポリ塩化ビニリデン、エポキシ樹脂等の樹脂が挙げられる。残留電位、塗膜欠陥の点から、ポリカーボネート又はポリアリレートが好ましい。
【００７０】
保護層は、結着樹脂を、ボールミル、アトライター、サンドミル、超音波等を用いて、溶媒中に分散させた塗布液を電荷輸送層１２ｂ上に塗布した後、乾燥することにより、形成することができる。
【００７１】
溶媒としては、特に限定されないが、テトラヒドロフラン、ジオキサン、トルエン、ジクロロメタン、モノクロロベンゼン、ジクロロエタン、シクロヘキサノン、メチルエチルケトン、アセトン等が挙げられ、二種以上併用してもよい。
【００７２】
塗布液を塗布する方法としては、特に限定されないが、浸漬塗工法、スプレーコート法、ビートコート法、ノズルコート法、スピナーコート法、リングコート法等が挙げられる。中でも、塗膜の均一性の面から、スプレーコート法が好ましい。
【００７３】
保護層は、一般式（２）で表される化合物をさらに含むことが好ましい。これにより、繰り返し使用しても、露光部の電位のＪｏｂ内変動をさらに抑制することができる。
【００７４】
また、保護層は、残留電位の低減及び画質向上の点から、電荷輸送物質をさらに含んでもよい。
【００７５】
さらに、保護層は、耐摩耗性の点から、フィラーをさらに含んでもよい。
【００７６】
保護層の厚さは、通常、０．５〜１０μｍである。
【００７７】
感光体１０は、電荷輸送層１２ｂと保護層の間に、結着樹脂を含む中間層が形成されていてもよい。
【００７８】
結着樹脂としては、特に限定されないが、ポリアミド、アルコール可溶性ナイロン、水溶性ポリビニルブチラール、ポリビニルブチラール、ポリビニルアルコール等が挙げられる。
【００７９】
中間層は、保護層と同様にして、形成することができる。
【００８０】
中間層の厚さは、通常、０．０５〜２μｍ程度である。
【００８１】
感光体１０は、導電性支持体１１と電荷発生層１２ａの間に、結着樹脂を含む下引き層が形成されていてもよい。
【００８２】
結着樹脂としては、特に限定されないが、ポリビニルアルコール、カゼイン、ポリアクリル酸ナトリウム等の水溶性樹脂；共重合ナイロン、メトキシメチル化ナイロン等のアルコール可溶性樹脂；ポリウレタン、メラミン樹脂、フェノール樹脂、アルキッド−メラミン樹脂、エポキシ樹脂等の硬化性樹脂等が挙げられる。
【００８３】
下引き層は、保護層と同様にして、形成することができる。
【００８４】
下引き層は、モアレ防止、残留電位の低減の点から、酸化チタン、シリカ、アルミナ、酸化ジルコニウム、酸化スズ、酸化インジウム等の金属酸化物の顔料をさらに含んでもよい。
【００８５】
なお、シランカップリング剤、チタンカップリング剤、クロムカップリング剤等を用いて表面処理することにより下引き層を形成してもよい。また、アルミニウム製の導電性支持体１１を陽極酸化することにより下引き層を形成してもよい。さらに、ポリパラキシリレン（パリレン）等の有機物；酸化ケイ素、酸化スズ、酸化チタン、ＩＴＯ、酸化セリウム等の無機物を蒸着することにより下引き層を形成してもよい。
【００８６】
下引き層の厚さは、通常、０〜５μｍである。
【００８７】
感光体１０は、感度の低下や残留電位の上昇を防止するために、電荷発生層１１、電荷輸送層１２ａ、保護層、中間層及び下引き層の各層が酸化防止剤、可塑剤、滑剤、紫外線吸収剤、レベリング剤をさらに含んでいてもよい。
【００８８】
酸化防止剤としては、特に限定されないが、２，６−ジ−ｔ−ブチル−ｐ−クレゾ−ル、ブチル化ヒドロキシアニソ−ル、２，６−ジ−ｔ−ブチル−４−エチルフェノ−ル、ｎ−オクタデシル−３−（４'−ヒドロキシ−３'，５'−ジ−ｔ−ブチルフェノール）、２，２'−メチレンビス（４−メチル−６−ｔ−ブチルフェノ−ル）、２，２'−メチレンビス（４−エチル−６−ｔ−ブチルフェノ−ル）、４，４'−チオビス（３−メチル−６−ｔ−ブチルフェノ−ル）、４，４'−ブチリデンビス（３−メチル−６−ｔ−ブチルフェノ−ル）、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス［メチレン−３−（３'，５'−ジ−ｔ−ブチル−４'−ヒドロキシフェニル）プロピオネ−ト］メタン、ビス［３，３'−ビス（４'−ヒドロキシ−３'−ｔ−ブチルフェニル）ブチリックアッシド］クリコ−ルエステル、トコフェロ−ル類等のフェノ−ル系化合物；Ｎ−フェニル−Ｎ'−イソプロピル−ｐ−フェニレンジアミン、Ｎ，Ｎ'−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ'−ジイソプロピル−ｐ−フェニレンジアミン、Ｎ，Ｎ'−ジメチル−Ｎ，Ｎ'−ジ−ｔ−ブチル−ｐ−フェニレンジアミン等のパラフェニレンジアミン類；２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノン等のハイドロキノン類；３，３'−チオジプロピオン酸ジラウリル、３，３'−チオジプロピオン酸ジステアリル、３，３'−チオジプロピオン酸ジテトラデシル等の有機硫黄化合物類；トリフェニルホスフィン、トリス（ノニルフェニル）ホスフィン、トリス（ジノニルフェニル）ホスフィン、トリクレジルホスフィン、トリス（２，４−ジブチルフェノキシ）ホスフィン等の有機リン化合物類が挙げられる。
【００８９】
可塑剤としては、特に限定されないが、リン酸トリフェニル、リン酸トリクレジル、リン酸トリオクチル、リン酸オクチルジフェニル、リン酸トリス（クロロエチル）、リン酸クレジルジフェニル、リン酸トリブチル、リン酸トリス（２−エチルヘキシル）、リン酸トリフェニル等のリン酸エステル；フタル酸ジメチル、フタル酸ジエチル、フタル酸ジイソブチル、フタル酸ジブチル、フタル酸ジヘプチル、フタル酸ビス（２−エチルヘキシル）、フタル酸ジイソオクチル、フタル酸ジ−ｎ−オクチル、フタル酸ジノニル、フタル酸ジイソノニル、フタル酸ジイソデシル、フタル酸ジウンデシル、フタル酸ジトリデシル、フタル酸ジシクロヘキシル、フタル酸ブチルベンジル、フタル酸ブチルラウリル、フタル酸メチルオレイル、フタル酸オクチルデシル、フタル酸ジブチル、フタル酸ジオクチル等のフタル酸エステル；トリメリット酸トリオクチル、トリメリット酸トリ−ｎ−オクチル、４−ヒドロキシ安息香酸オクチル等の芳香族カルボン酸エステル；アジピン酸ジブチル、アジピン酸ジ−ｎ−ヘキシル、アジピン酸ビス（２−エチルヘキシル）、アジピン酸ジ−ｎ−オクチル、アジピン酸ｎ−オクチルｎ−デシル、アジピン酸ジイソデシル、アジピン酸ジカプリル、アゼライン酸ビス（２−エチルヘキシル）、セバシン酸ジメチル、セバシン酸ジエチル、セバシン酸ジブチル、セバシン酸ジ−ｎ−オクチル、セバシン酸ビス（２−エチルヘキシル）、セバシン酸ビス（２−エトキシエチル）、コハク酸ジオクチル、コハク酸ジイソデシル、テトラヒドロフタル酸ジオクチル、テトラヒドロフタル酸ジ−ｎ−オクチル等の脂肪族二塩基酸エステル；オレイン酸ブチル、グリセリンモノオレエート、アセチルリシノール酸メチル、ペンタエリスリトールエステル、ジペンタエリスリトールヘキサエステル、トリアセチン、トリブチリン等の脂肪酸エステル誘導体；アセチルリシノール酸メチル、アセチルリシノール酸ブチル、ブチルフタリルブチルグリコレート、アセチルクエン酸トリブチル等のオキシ酸エステル；エポキシ化大豆油、エポキシ化アマニ油、エポキシステアリン酸ブチル、エポキシステアリン酸デシル、エポキシステアリン酸オクチル、エポキシステアリン酸ベンジル、エポキシヘキサヒドロフタル酸ジオクチル、エポキシヘキサヒドロフタル酸ジデシル等のエポキシ化脂肪族エステル；ジエチレングリコールジベンゾエート、トリエチレングリコールビス（２−エチルブチラート）等の二価アルコールエステル；塩素化パラフィン、塩素化ジフェニル、塩素化脂肪酸メチル、メトキシ塩素化脂肪酸メチル等の含塩素化合物；ポリプロピレンアジペート、ポリプロピレンセバケート、アセチル化ポリエステル等のポリエステル；ｐ−トルエンスルホンアミド、ｏ−トルエンスルホンアミド、ｐ−トルエンスルホン−Ｎ−エチルアミド、ｏ−トルエンスルホン−Ｎ−エチルアミド、ｐ−トルエンスルホン−Ｎ−シクロヘキシルアミド等のスルホン酸誘導体；クエン酸トリエチル、アセチルクエン酸トリエチル、クエン酸トリブチル、アセチルクエン酸トリブチル、アセチルクエン酸トリス（２−エチルヘキシル）、アセチルクエン酸ｎ−オクチルデシル等のクエン酸誘導体；ターフェニル、部分水添ターフェニル、ショウノウ、２−ニトロジフェニル、ジノニルナフタレン、アビエチン酸メチル等が挙げられる。
【００９０】
滑剤としては、特に限定されないが、流動パラフィン、パラフィンワックス、マイクロワックス、低重合ポリエチレン等の炭化水素系化合物；ラウリン酸、ミリスチン酸、パルチミン酸、ステアリン酸、アラキジン酸、ベヘン酸等の脂肪酸系化合物；ステアリルアミド、パルミチルアミド、オレインアミド、Ｎ，Ｎ'−メチレンビスステアロアミド、Ｎ，Ｎ'−エチレンビスステアロアミド等の脂肪酸アミド系化合物；脂肪酸の低級アルコールエステル、脂肪酸の多価アルコールエステル、脂肪酸ポリグリコールエステル等のエステル系化合物；セチルアルコール、ステアリルアルコール、エチレングリコール、ポリエチレングリコール、ポリグリセロール等アルコール系化合物；ステアリン酸鉛、ステアリン酸カドミウム、ステアリン酸バリウム、ステアリン酸カルシウム、ステアリン酸亜鉛、ステアリン酸マグネシウム等の金属石鹸；カルナバロウ、カンデリラロウ、蜜ロウ、鯨ロウ、イボタロウ、モンタンロウ等の天然ワックス；シリコーン化合物、フッ素化合物等が挙げられる。
【００９１】
紫外線吸収剤としては、特に限定されないが、２−ヒドロキシベンゾフェノン、２，４−ジヒドロキシベンゾフェノン、２，２'，４−トリヒドロキシベンゾフェノン、２，２'，４，４'−テトラヒドロキシベンゾフェノン、２，２'−ジヒドロキシ−４−メトキシベンゾフェノン等のベンゾフェノン系化合物；サリチル酸フェニル、３，５−ジ−ｔ−ブチル−４−ヒドロキシ安息香酸２，４−ジ−ｔ−ブチルフェニル等のサリチル酸エステル；（２'−ヒドロキシフェニル）ベンゾトリアゾール、（２'−ヒドロキシ−５'−メチルフェニル）ベンゾトリアゾール、（２'−ヒドロキシ−５'−メチルフェニル）ベンゾトリアゾール、（２'−ヒドロキシ−３'−ｔｅｒｔ−ブチル−５'−メチルフェニル）−５−クロロベンゾトリアゾール等のベンゾトリアゾール系化合物；２−シアノ−３，３−ジフェニルアクリル酸エチル等のシアノアクリル酸エステル；ニッケル（２，２'−チオビス（４−ｔ−オクチル）フェノレート）ｎ−ブチルアミン、ニッケルジブチルジチオカルバメート、ニッケルジブチルジチオカルバメート、コバルトジシクロヘキシルジチオホスフェート等の金属錯塩系化合物；ビス（２，２，６，６−テトラメチル−４−ピペリジル）セバケート、ビス（１，２，２，６，６−ペンタメチル−４−ピペリジル）セバケート、１−［２−〔３−（３，５−ジ−ｔ−ブチル−４−ヒドロキシフェニル）プロピオニルオキシ〕エチル］−４−〔３−（３，５−ジ−ｔ−ブチル−４−ヒドロキシフェニル）プロピオニルオキシ〕−２，２，６，６−テトラメチルピリジン、８−ベンジル−７，７，９，９−テトラメチル−３−オクチル−１，３，８−トリアザスピロ［４，５］ウンデカン−２，４−ジオン、４−ベンゾイルオキシ−２，２，６，６−テトラメチルピペリジン等のヒンダードアミンが挙げられる。
【００９２】
図２に、感光体１０の構成の変形例を示す。感光体１０'は、導電性支持体１１上に、電荷発生層１２ａ及び電荷輸送層１２ｂが順次積層されている感光層１２が形成されている代わりに、単層の感光層１２'が形成されている以外は、感光体１０と同一の構成である。
【００９３】
感光層１０'は、電荷発生物質と、一般式（１）で表される化合物を含む電荷輸送物質と、一般式（２）で表される化合物と、結着樹脂を含む。
【００９４】
このとき、電荷発生物質、一般式（１）で表される化合物を含む電荷輸送物質、一般式（２）で表される化合物及び結着樹脂としては、感光層１０と同様の材料を用いることができる。
【００９５】
なお、感光層１２'の感度を高くするために、電荷輸送物質は、電子輸送物質を含むことが好ましい。
【００９６】
感光層１２'において、結着樹脂に対する一般式（１）で表される化合物の質量比は、通常、０．３０〜２．００である。この質量比が０．３０未満であると、残留電位が上昇することがあり、２．００を超えると、耐摩耗性が低下することがある。
【００９７】
感光層１２'において、電荷輸送物質に対する一般式（１）で表される化合物の質量比は、通常、０．５０〜１．００であり、０．７０〜１．００が好ましい。この質量比が０．５０未満であると、繰り返し使用すると、露光部の電位のＪｏｂ内変動が大きくなることがある。
【００９８】
感光層１２'において、電荷輸送物質に対する一般式（２）で表される化合物の質量比は、通常、０．０１〜０．３０である。この質量比が０．０１未満であると、繰り返し使用すると、露光部の電位のＪｏｂ内変動が大きくなることがあり、０．３０を超えると、繰り返し使用すると、残留電位が上昇することがある。
【００９９】
感光層１２'の厚さは、通常、５〜５０μｍであり、解像度・応答性の点から、５〜２５μｍが好ましい。
【０１００】
感光層１２'は、電荷発生物質、一般式（１）で表される化合物を含む電荷輸送物質と、一般式（２）で表される化合物と、結着樹脂を、ボールミル、アトライター、サンドミル、超音波等を用いて、溶媒中に分散させた塗布液を導電性支持体１１上に塗布した後、乾燥することにより、形成することができる。
【０１０１】
このとき、溶媒としては、感光層１０と同様の溶媒を用いることができる。
【０１０２】
なお、感光体１０の形状としては、特に限定されないが、ドラム状、シート状、エンドレスベルト状等が挙げられる。
【０１０３】
図３に、本発明の画像形成装置の一例を示す。ドラム状の感光体１０は、駆動手段（不図示）により、図中、反時計周りに回転駆動されながら、帯電チャージャ２０により、表面が一様に帯電される。帯電チャージャ２０としては、感光体１０の表面を所定の極性に所定の電位で帯電させることが可能であれば、特に限定されないが、コロトロン、スコロトロン、固体帯電器（ソリッド・ステート・チャージャー）、帯電ローラ等が挙げられる。
【０１０４】
次に、一様に帯電した感光体１０の表面に、露光装置（不図示）により光Ｌが照射され、静電潜像が形成される。露光装置５としては、特に限定されないが、蛍光灯、タングステンランプ、ハロゲンランプ、水銀灯、ナトリウム灯、発光ダイオード（ＬＥＤ）、半導体レーザ（ＬＤ）、エレクトロルミネッセンス（ＥＬ）等が挙げられ、発光ダイオード又は半導体レーザが好ましい。
【０１０５】
なお、光Ｌを照射する際には、所望の波長域の光のみを照射するために、シャープカットフィルター、バンドパスフィルター、近赤外カットフィルター、ダイクロイックフィルター、干渉フィルター、色温度変換フィルター等の各種フィルターを、感光体１０と露光装置との間に配置することができる。
【０１０６】
感光体１０の表面に形成された静電潜像は、トナーを用いて、現像装置３０により現像されて、トナー画像が形成される。現像装置３０の現像方式としては、特に限定されないが、一成分現像方式、二成分現像方式等が挙げられる。また、トナーは、磁性トナー及び非磁性トナーのいずれであってもよい。
【０１０７】
なお、感光体１０の表面を正（又は負）に帯電させた後、光Ｌを照射すると、感光体１０の表面に、正（又は負）の静電潜像が形成される。このとき、正（又は負）の静電潜像を負（又は正）極性のトナーで現像すると、ポジ画像が形成され、正（又は負）極性のトナーで現像すると、ネガ画像が形成される。
【０１０８】
さらに、感光体１０の表面に形成されたトナー画像は、感光体１０の回転に伴い、転写チャージャ４０に対向する位置まで搬送される。転写チャージャ４０としては、帯電チャージャ２０と同様のものを適用することができる。
【０１０９】
なお、転写効率を向上させるために、感光体１０の回転方向に対して、転写チャージャ４０の上流側に転写前チャージャ又は露光装置を設け、トナー画像にプレチャージ又は感光体１０の表面を除電することが好ましい。転写前チャージャ及び露光装置としては、それぞれ帯電チャージャ２０及び露光装置と同様のものを適用することができる。
【０１１０】
一方、感光体１０と転写チャージャ４０が対向する位置には、レジストローラ（不図示）により、所望の位置にトナー画像が転写されるように転写紙が搬送され、転写チャージャ１０により、感光体１０の表面に形成されたトナー画像が転写紙に転写される。
【０１１１】
トナー画像が転写された転写紙は、感光体１０に伴って回転した後、分離爪５０により感光体１０の表面から分離される。感光体１０の表面から分離された転写紙は、トナー画像が定着された後、排出される。
【０１１２】
なお、分離効率を向上させるために、感光体１０の回転方向に対して、転写チャージャ４０の下流側に分離チャージャを設け、転写紙にプレチャージすることが好ましい。分離チャージャとしては、帯電チャージャ２０と同様のものを適用することができる。
【０１１３】
このとき、転写紙が分離された感光体１０の表面に残留したトナーは、ファーブラシ６０及びクリーニングブレード７０により除去される。
【０１１４】
なお、ファーブラシ６０及びクリーニングブレード７０の代わりに、マグファーブラシを用いてもよいし、ファーブラシ６０又はクリーニングブレード７０を省略してもよい。また、クリーニング効率を向上させるために、感光体１０の回転方向に対して、ファーブラシ６０の上流側に、クリーニング前チャージャ又は露光装置を設け、感光体１０の表面をプレチャージ又は除電することが好ましい。クリーニング前チャージャ及び露光装置としては、それぞれ前述の帯電チャージャ２０及び露光装置と同様のものを適用することができる。
【０１１５】
次に、付着物が除去された感光体１０の表面に、除電ランプ８０により光が照射され、除電される。その結果、電子写真方法による画像形成プロセスを終える。このような画像形成プロセスを繰り返すことで複数の転写紙Ｐに画像を形成することができる。除電ランプ９０としては、前述の露光装置と同様のものを適用することができる。
【０１１６】
図４に、図３の画像形成装置の変形例を示す。図４の画像形成装置は、エンドレスベルト状の感光体１０が、駆動ローラ９０及び張架ローラ１００により張架され、駆動ローラ９０により、図中、時計回りに回転駆動され、クリーニングブレード７０を省略した以外は、図３の画像形成装置と同一の構成である。
【０１１７】
なお、導電性支持体１１が透光性である場合は、露光装置及び／又は除電ランプ８０を導電性支持体１１の側に配置して、導電性支持体１１の側から光を照射してもよい。
【０１１８】
図５に、図３の画像形成装置の変形例を示す。なお、図５において、図３と同一の構成については、同一の符号を付して説明を省略する。ドラム状の感光体１０は、駆動手段（不図示）により、図中、反時計回りに回転駆動されながら、帯電チャージャ２０により、表面が一様に帯電される。次に、一様に帯電した感光体１０の表面に、露光装置（不図示）により光Ｌが照射され、イエロー、マゼンタ、シアン及びブラックの各色の静電潜像が順次形成される。感光体１０の表面に形成された各色の静電潜像は、各色のトナーを用いて、リボルバ現像装置３０'により現像されて、各色のトナー画像が形成される。リボルバ現像装置３０'は、イエロー、マゼンタ、シアン及びブラックの各色の現像ユニット３１'がドラム状の筺体３２'の中に設置されており、筺体３２'を回転させて各色の現像ユニット３１'を感光体１０に対向する位置に順次移動させることにより、各色のトナー像が形成される。
【０１１９】
感光体１０の回転方向に対して、リボルバ現像装置３０'の下流側に中間転写ベルト１１０が設けられている。中間転写ベルト１１０は、張架ローラ１２０、バイアスローラ１３０、バックアップローラ１４０及び駆動ローラ１５０により張架され、駆動ローラ１５０により、図中、時計回りに回転駆動される。このとき、感光体１０の表面に形成された各色のトナー画像は、感光体１０と中間転写ベルト１１０が接触する中間転写ニップにおいて、バイアスローラ１３０により印加されるバイアスにより、中間転写ベルト１１０の表面に転写されて、重ね合わされる。
【０１２０】
各色のトナー画像が転写された感光体１０の表面に残留したトナーは、ファーブラシ６０により除去される。残留したトナーが除去された感光体１０の表面は、除電ランプ８０により光が照射され、除電される。
【０１２１】
一方、給紙カセット（不図示）から搬送されてきた転写紙Ｐは、レジストローラ１６０により、中間転写ベルト１１０の表面に転写されたトナー画像が転写されるタイミングで、中間転写ベルト１１０と転写ベルト１７０が接触する二次転写ニップに搬送される。このとき、中間転写ベルト１１０の表面に転写されたトナー画像は、二次転写ニップにおいて、バイアスローラ１８０により印加されるバイアスにより、転写紙Ｐに転写される。なお、転写ベルト１７０は、張架ローラ１９０及び駆動ローラ２００により張架され、駆動ローラ２００により、図中、反時計回りに回転駆動される。
【０１２２】
トナー画像が転写された中間転写ベルト１１０の表面に残留したトナーは、ファーブラシ２１０により除去される。
【０１２３】
トナー画像が転写された転写紙Ｐは、転写ベルト１７０により搬送ベルト２２０に搬送される。なお、搬送ベルト２２０は、張架ローラ２３０及び駆動ローラ２４０により張架され、駆動ローラ２４０により、図中、反時計回りに回転駆動される。
【０１２４】
搬送ベルト２２０に搬送された転写紙Ｐは、定着装置２５０に搬送された後、加熱ローラ２５１とバックアップローラ２５２により形成された定着ニップに挟み込まれながら搬送され、加熱ローラ２５１による加熱やバックアップローラ２５２による加圧により、転写紙Ｐにトナー画像が定着される。
【０１２５】
なお、転写ベルト１７０及び搬送ベルト２２０は、バイアス印加手段（不図示）により、転写紙Ｐを吸着させるためのバイアスが印加されている。また、転写紙Ｐ、中間転写ベルト１１０、転写ベルト１７０及び搬送ベルト２２０を、それぞれ除電する除電チャージャ（不図示）が設けられている。
【０１２６】
図６に、図３の画像形成装置の変形例を示す。なお、図６において、図３及び図５と同一の構成については、同一の符号を付して説明を省略する。図６の画像形成装置は、タンデム方式であり、各ドラム状の感光体１０の表面に形成された、イエロー、マゼンタ、シアン及びブラックの各色のトナー画像が、バイアスローラ１３０により印加されるバイアスにより、中間転写ベルト１１０の表面に転写されて、重ね合わされる。なお、中間転写ベルト１１０は、２個の張架ローラ１２０、バックアップローラ１４０及び駆動ローラ１５０により張架され、駆動ローラ１５０により、図中、時計回りに回転駆動される。
【０１２７】
図６の画像形成装置は、各色の静電潜像の形成や現像を並行して行うことができるため、図５の画像形成装置よりも高速で画像を形成することができる。
【０１２８】
本発明の画像形成装置は、複写装置、ファクシミリ、プリンタ等に適用することができるが、本発明のプロセスカートリッジが着脱自在に設けられていてもよい。
【０１２９】
図７に、本発明のプロセスカートリッジの一例を示す。なお、図７において、図３と同一の構成については、同一の符号を付して説明を省略する。図７のプロセスカートリッジは、ドラム状の感光体１０と、帯電チャージャ２０と、現像装置３０と、ファーブラシ６０を有する。
【０１３０】
なお、本発明のプロセスカートリッジは、本発明の感光体と、帯電手段、露光手段、現像手段、転写手段、クリーニング手段及び除電手段の少なくとも一つを有していればよい。
【実施例】
【０１３１】
以下、本発明について実施例を挙げて説明するが、本発明は、実施例により制約を受けない。なお、部は、質量部である。
【０１３２】
［実施例１］
二酸化チタン粉末タイベークＣＲ−ＥＬ（石原産業社製）４００部、メラミン樹脂スーパーベッカミンＧ８２１−６０（ＤＩＣ社製）６５部、アルキッド樹脂ベッコライトＭ６４０１−５０（ＤＩＣ社製）１２０部及び２−ブタノン４００部からなる下引き層用塗布液Ａを調製した。
【０１３３】
化学式
【０１３４】
【化８】
2011221047.tif 000018
で表されるフルオレノン系ビスアゾ顔料１２部、ポリビニルブチラールＸＹＨＬ（ユニオンカーバイド社製）５部、２−ブタノン２００部及びシクロヘキサノン４００部からなる電荷発生層用塗布液Ａを調製した。
【０１３５】
ポリカーボネートのＺポリカ（帝人化成社製）１０部、化合物（１−１１）９部、化合物（２−１）１部及びテトラヒドロフラン１００部からなる電荷輸送層用塗布液Ａを調製した。
【０１３６】
アルミニウムシリンダー上に、下引き層用塗布液Ａ、電荷発生層用塗布液Ａ及び電荷輸送層用塗布液Ａを、浸漬塗工法により順次塗布した後、乾燥し、厚さが３．５μｍの下引き層、厚さが０．２μｍの電荷発生層及び厚さが２３μｍの電荷輸送層を形成し、感光体を作製した。
【０１３７】
［実施例２］
化合物（２−１）の代わりに、化合物（２−２）を用いた以外は、実施例１と同様にして、感光体を作製した。
【０１３８】
［実施例３］
化合物（２−１）の代わりに、化合物（２−３）を用いた以外は、実施例１と同様にして、感光体を作製した。
【０１３９】
［実施例４］
化合物（２−１）の代わりに、化合物（２−４）を用いた以外は、実施例１と同様にして、感光体を作製した。
【０１４０】
［実施例５］
化合物（２−１）の代わりに、化合物（２−５）を用いた以外は、実施例１と同様にして、感光体を作製した。
【０１４１】
［実施例６］
化合物（１−１１）の代わりに、化合物（１−１９）を用いた以外は、実施例１と同様にして、感光体を作製した。
【０１４２】
［実施例７］
化合物（１−１１）の代わりに、化合物（１−３）を用いた以外は、実施例２と同様にして、感光体を作製した。
【０１４３】
［実施例８］
化合物（１−１１）の代わりに、化合物（１−４８）を用いた以外は、実施例３と同様にして、感光体を作製した。
【０１４４】
［実施例９］
化合物（１−１１）の代わりに、化合物（１−１０）を用いた以外は、実施例４と同様にして、感光体を作製した。
【０１４５】
［実施例１０］
化合物（１−１１）の代わりに、化合物（１−３２）を用いた以外は、実施例５と同様にして、感光体を作製した。
【０１４６】
［実施例１１］
チタニルフタロシアニン８部、ポリビニルブチラールのエスレックＢＸ−１（積水化学工業社製）５部及び２−ブタノン４００部からなる電荷発生層用塗布液Ｂを調製した。図８に、用いたチタニルフタロシアニンの粉末Ｘ線回折スペクトルを示す。
【０１４７】
ポリカーボネートのＺポリカ（帝人化成社製）１０部、化合物（１−１９）８部、化合物（２−１）０．５部及びテトラヒドロフラン１００部からなる電荷輸送層用塗布液Ｂを調製した。
【０１４８】
電荷発生層用塗布液Ａ及び電荷輸送層用塗布液Ａの代わりに、それぞれ電荷発生層用塗布液Ｂ及び電荷輸送層用塗布液Ｂを用いた以外は、実施例１と同様にして、感光体を作製した。
【０１４９】
［実施例１２］
化合物（１−１９）及び化合物（２−１）の代わりに、それぞれ化合物（１−１１）及び化合物（２−３）を用いた以外は、実施例１１と同様にして、感光体を作製した。
【０１５０】
［実施例１３］
化合物（１−１９）及び化合物（２−１）の代わりに、それぞれ化合物（１−３７）及び化合物（２−５）を用いた以外は、実施例１１と同様にして、感光体を作製した。
【０１５１】
［実施例１４］
ポリカーボネートのＺポリカ（帝人化成社製）１０部、化合物（１−１９）８部、化合物（２−１）２部及びテトラヒドロフラン１００部からなる電荷輸送層用塗布液Ｃを調製した。
【０１５２】
電荷輸送層用塗布液Ｂの代わりに、電荷輸送層用塗布液Ｃを用いた以外は、実施例１１と同様にして、感光体を作製した。
【０１５３】
［実施例１５］
化合物（１−１９）及び化合物（２−１）の代わりに、それぞれ化合物（１−１１）及び化合物（２−３）を用いた以外は、実施例１４と同様にして、感光体を作製した。
【０１５４】
［実施例１６］
化合物（１−１９）及び化合物（２−１）の代わりに、それぞれ化合物（１−３７）及び化合物（２−５）を用いた以外は、実施例１４と同様にして、感光体を作製した。
【０１５５】
［比較例１］
化合物（２−１）を加えない以外は、実施例１と同様にして、感光体を作製した。
【０１５６】
［比較例２］
化合物（２−１）の代わりに、化学式
【０１５７】
【化９】
2011221047.tif 000019
で表される化合物を用いた以外は、実施例１と同様にして、感光体を作製した。
【０１５８】
［比較例３］
化合物（２−１）の代わりに、化学式
【０１５９】
【化１０】
2011221047.tif 000020
で表される化合物を用いた以外は、実施例１と同様にして、感光体を作製した。
【０１６０】
［比較例４］
化合物（２−１）の代わりに、化学式
【０１６１】
【化１１】
2011221047.tif 000021
で表される化合物を用いた以外は、実施例１と同様にして、感光体を作製した。
【０１６２】
［比較例５］
化合物（２−１）の代わりに、化学式
【０１６３】
【化１２】
2011221047.tif 000022
で表される化合物を用いた以外は、実施例１と同様にして、感光体を作製した。
【０１６４】
［比較例６］
化合物（２−１）の代わりに、化学式
【０１６５】
【化１３】
2011221047.tif 000023
で表される化合物を用いた以外は、実施例１１と同様にして、感光体を作製した。
【０１６６】
［比較例７］
化合物（２−１）の代わりに、化学式
【０１６７】
【化１４】
2011221047.tif 000024
で表される化合物を用いた以外は、実施例１１と同様にして、感光体を作製した。
【０１６８】
［比較例８］
化合物（２−１）の代わりに、化学式
【０１６９】
【化１５】
2011221047.tif 000025
で表される化合物を用いた以外は、実施例１１と同様にして、感光体を作製した。
【０１７０】
［耐刷試験］
実施例１〜１６及び比較例１〜８の感光体を装着したプロセスカートリッジを、タンデム方式のフルカラーデジタル複写機ｉｍａｇｉｏＭＰＣ７５００（リコー社製）の改造機に搭載して、書き込み率が５％のチャートを１０万枚印刷し、初期及び１０万枚印刷後の露光部電位（ＶＬ）、露光部電位（ＶＬ）のＪｏｂ内変動及び画像品質を評価した。ここで、書き込み率が５％のチャートは、Ａ４の全面積に対して、画像面積として５％相当の文字が平均的に書かれているチャートである。
【０１７１】
なお、露光部電位（ＶＬ）のＪｏｂ内変動は、印刷前の感光体の露光部電位（ＶＬ）を測定した後、５０枚の連続印刷を１０回繰り返した後、印刷後の感光体の露光部電位（ＶＬ）を測定したときの、印刷前後の感光体の露光部電位（ＶＬ）の差である。このとき、露光部電位（ＶＬ）のＪｏｂ内変動が問題ないレベルである場合を◎、露光部電位（ＶＬ）のＪｏｂ内変動が若干認められるが、補正できる範囲内で問題ないレベルである場合を○、露光部電位（ＶＬ）のＪｏｂ内変動が明らかに認められ、補正できる範囲外で若干問題があるレベルである場合を△、露光部電位（ＶＬ）のＪｏｂ内変動が大きく、問題があるレベルである場合を×として、判定した。
【０１７２】
評価結果を表１０に示す。
【０１７３】
【表１０】
2011221047.tif 000026
表１０より、実施例１〜１６の感光体は、１０万枚印刷後においても、感光体特性が安定しており、画像濃度の低下、画像ボケの発生及び露光部電位（ＶＬ）のＪｏｂ内変動を抑制できることがわかる。
【０１７４】
一方、比較例１〜４の感光体は、初期の画像品質は良好であるが、１０万枚印刷後の画像品質が劣化する。
【０１７５】
また、比較例５の感光体は、１０万枚印刷後において、画像品質が良好であるが、露光部電位（ＶＬ）のＪｏｂ内変動を抑制することができない。
【０１７６】
さらに、比較例６〜８の感光体は、１０万枚印刷後において、画像濃度が僅かに低下することに加え、露光部電位（ＶＬ）のＪｏｂ内変動を抑制することができない。
【符号の説明】
【０１７７】
１０、１０'    感光体
１１    導電性支持体
１２、１２'    感光層
１２ａ    電荷発生層
１２ｂ    電荷輸送層
【先行技術文献】
【特許文献】
【０１７８】
【特許文献１】特開２００９−４２５６４号公報
【図１】
2011221047.tif 000030
【図２】
2011221047.tif 000031
【図３】
2011221047.tif 000032
【図４】
2011221047.tif 000033
【図５】
2011221047.tif 000034
【図６】
2011221047.tif 000035
【図７】
2011221047.tif 000036
【図８】
2011221047.tif 000037